(57)【要約】【課題】呼出元の環境下で発生した周囲音による誤った呼び出しを防止する。【解決手段】子機１ａ、１ｂ、・・・、２ａ、２ｂ、・・・、・・・において、感知部５１の第１のマイク６０が第１のマイクアンプ７１、フレキシブルパイプ５３を介して接続される第１のレベル変換回路７３からの直流レベルが、第２のマイクが第２のマイクアンプ７２を介して接続される第２のレベル変換回路７４からの直流レベルと比較して大きくなる、例えば、ベッド毎の患者より看護師を呼び出すための音声が発せられた場合には、これを検出した直流レベル比較回路７５からナースコール親機に対して呼び出しをかけることができる、一方、第１のレベル変換回路からの直流レベルが第２のレベル変換回路からの直流レベルと比較して小さくなる、例えば、呼出元の環境下で周囲音が発生した場合には、これを検出した直流レベル比較回路からナースコール親機に対して呼び出しがかけられることはない。【選択図】　図２
2004112016.tif 000002
【特許請求の範囲】
【請求項１】
病室内のベッド毎に設置され患者が看護師を呼び出すために音声で呼び出しを行う子機（１ａ、１ｂ、・・・、２ａ、２ｂ、・・・、・・・）と、ナースステーション内に設置され前記子機からの呼び出しを報知するための呼出報知機能を有するナースコール親機（３０）と、前記ナースコール親機を制御するための制御機（３１）とを備え、
前記子機は、前記音声を感知するための第１のマイク（６０）を有する感知部（５１）と、周囲音を感知するための第２のマイク（７０）を有する本体（５２）と、前記感知部および前記本体の間を離間するためのフレキシブルパイプ（５３）とで構成され、
前記本体は、前記第１のマイクに入力された前記音声を増幅するための第１のマイクアンプ（７１）と、前記第２のマイクに入力された前記周囲音を増幅するための第２のマイクアンプ（７２）と、前記第１のマイクアンプから出力される音声信号を直流レベルに変換するための第１のレベル変換回路（７３）と、前記第２のマイクアンプから出力される周囲音信号を直流レベルに変換するための第２のレベル変換回路（７４）と、前記第１、第２の各レベル変換回路から出力される直流レベルを比較して、前記直流レベルに応じて呼出信号を前記ナースコール親機に伝送させるための直流レベル比較回路（７５）とを有することを特徴とするナースコール装置。
【発明の詳細な説明】
【０００１】
【発明の属する技術分野】
本発明はナースコール装置に係り、特に、患者が看護師を呼び出すための機能として、音声による呼出機能を備えたナースコール装置に関する。
【０００２】
【従来の技術】
従来から、この種のナースコール装置として、音声の入力や息の吹きかけを検出するための第１のマイクとキャンセル用の第２のマイクとがセンサー部に備えられており、音声の入力による呼出時においては、第２のマイクを無効とし、第１のマイクに入力される音声で呼び出しを行う声または息による呼出装置が提案されている（例えば、特許文献１参照）。
【０００３】
【特許文献１】実開昭６１−４２６９０号公報（第１頁、第１図（ィ）、（ロ））。
【０００４】
【発明が解決しようとする課題】
しかしながら、従来例のナースコール装置としての声または息による呼出装置においては、センサー部に備えられている第２のマイクが無効とされ、第１のマイクに入力される音声で呼び出しが行われていたことにより、当該装置が設置される環境下で発生した周囲音、例えば、ノイズ等でも呼び出しが行われる虞があり、誤った呼び出しとなる難点があった。
【０００５】
本発明は、上述の難点を解消するためになされたもので、呼出元の環境下で発生した周囲音による誤った呼び出しを防止できるナースコール装置を提供することを目的としている。
【０００６】
【課題を解決するための手段】
上述の目的を達成するため、本発明のナースコール装置は、病室内のベッド毎に設置され患者が看護師を呼び出すために音声で呼び出しを行う子機と、ナースステーション内に設置され子機からの呼び出しを報知するための呼出報知機能を有するナースコール親機と、ナースコール親機を制御するための制御機とを備えている。子機は、音声を感知するための第１のマイクを有する感知部と、周囲音を感知するための第２のマイクを有する本体と、感知部および本体の間を離間するためのフレキシブルパイプとで構成される。本体は、第１のマイクに入力された音声を増幅するための第１のマイクアンプと、第２のマイクに入力された周囲音を増幅するための第２のマイクアンプと、第１のマイクアンプから出力される音声信号を直流レベルに変換するための第１のレベル変換回路と、第２のマイクアンプから出力される周囲音信号を直流レベルに変換するための第２のレベル変換回路と、第１、第２の各レベル変換回路から出力される直流レベルを比較し、直流レベルに応じて呼出信号をナースコール親機に伝送させるための直流レベル比較回路とを有する。
【０００７】
このようなナースコール装置によれば、ベッド毎の患者により看護師を呼び出すための音声が発せられた場合、当該患者の口元との距離が本体の第２のマイクとの距離と比較して近いとされる感知部の第１のマイクが第１のマイクアンプ、フレキシブルパイプを介して接続される第１のレベル変換回路からの直流レベルは、第２のマイクが第２のマイクアンプを介して接続される第２のレベル変換回路からの直流レベルと比較して大きくなることにより、これを検出した直流レベル比較回路からナースコール親機に対して呼び出しをかけることができる、一方、呼出元の環境下で周囲音が発生した場合には、第１のレベル変換回路からの直流レベルは、第２のレベル変換回路からの直流レベルと比較して小さくなることにより、これを検出した直流レベル比較回路からナースコール親機に対して呼び出しがかけられることはない。
【０００８】
【発明の実施の形態】
以下、本発明のナースコール装置を適用した好ましい形態の実施例について、図面を参照して説明する。
【０００９】
図１は、本発明の実施例によるナースコール装置を示す全体構成図である。
【００１０】
図１のブロック図に示すナースコール装置は、病室内のベッド毎、ここでは、１０１号室内、１０２号室内、・・・でベッド番号が「１」、「２」、・・・、「１」、「２」、・・・、・・・のようにそれぞれ割り当てられたベッド毎に設置されており、ベッド毎の患者が看護師、例えば、ナースステーション内に居る看護師を音声で呼び出すための子機１ａ、１ｂ、・・・、２ａ、２ｂ、・・・、・・・と、子機接続ラインＬ１ａ、Ｌ１ｂ、・・・、Ｌ２ａ、Ｌ２ｂ、・・・、・・・を介して接続された子機１ａ、１ｂ、・・・、２ａ、２ｂ、・・・、・・・とともに病室内のベッド毎に設置、通常、ベッド毎の壁面に設置されており、ベッド毎の患者が上述の看護師との間で通話を成立させるためのプレート子機１１ａ、１１ｂ、・・・、１２ａ、１２ｂ、・・・、・・・と、各病室の出入口近傍に設置されており、プレート子機接続ラインＬ１１ａ、Ｌ１１ｂ、・・・、Ｌ１２ａ、Ｌ１２ｂ、・・・、・・・、プレート子機１１ａ、１１ｂ、・・・、１２ａ、１２ｂ、・・・、・・・、子機接続ラインＬ１ａ、Ｌ１ｂ、・・・、Ｌ２ａ、Ｌ２ｂ、・・・、・・・を介して子機１ａ、１ｂ、・・・、２ａ、２ｂ、・・・、・・・からの音声による呼び出しを検出し、その旨の呼出表示を行うための廊下灯２１、２２、・・・と、ナースステーション内に設置されており、子機１ａ、１ｂ、・・・、２ａ、２ｂ、・・・、・・・からの音声による呼び出しがある旨を呼出報知（呼出表示／発報）するとともに、この呼び出し確認した看護師が呼出元の患者との間で通話を成立させるためのナースコール親機３０と、廊下灯接続ラインＬ２０上に接続、例えば、渡り配線接続された廊下灯２１、２２、・・・、親機接続ラインＬ２１を介して接続されたナースコール親機３０をそれぞれ制御するための制御機３１とで構成されている。
【００１１】
図２は、本発明の実施例によるナースコール装置において、子機１ａ、１ｂ、・・・、２ａ、２ｂ、・・・、・・・の具体的な構成を示すブロック図である。
【００１２】
図１の全体構成図および図２のブロック図において、子機１ａ、１ｂ、・・・、２ａ、２ｂ、・・・、・・・はそれぞれ同様な構成であり、フレキシブルパイプ５３を介して離間されて接続される感知部５１と本体５２とで構成されている。
【００１３】
また、図２のブロック図において、子機１ａ、１ｂ、・・・、２ａ、２ｂ、・・・、・・・を構成する感知部５１は、上述の看護師を呼び出すためのベッド毎の患者による音声（以下、呼出音声という。）を感知する第１のマイク６０を有する。
【００１４】
さらに、図２のブロック図において、子機１ａ、１ｂ、・・・、２ａ、２ｂ、・・・、・・・を構成する本体５２は、ベッド毎の環境下で発生したノイズ等の周囲音を感知するための第２のマイク７０と、フレキシブルパイプ５３を介して離間されて接続されている感知部５１の第１のマイク６０に入力された音声を増幅するための第１のマイクアンプ７１と、第２のマイク７０に入力された周囲音を増幅するための第２のマイクアンプ７２と、第１のマイクアンプ７１を介して増幅された音声をなす音声信号を直流レベルに変換するための第１のレベル変換回路７３と、第２のマイクアンプ７２を介して増幅された周囲音をなす周囲音信号を直流レベルに変換するための第２のレベル変換回路７４と、第１、第２の各レベル変換回路７３、７４から出力される直流レベルを比較し、比較された直流レベルに応じて呼出信号を出力するための直流レベル比較回路７５と、直流レベル比較回路７５から出力される呼出信号を子機接続ラインＬ１ａ、Ｌ１ｂ、・・・、Ｌ２ａ、Ｌ２ｂ、・・・、・・・に出力するための信号伝送路を形成する子機インターフェース（以下、子機Ｉ／Ｆという。）７６とを有する。
【００１５】
なお、図２のブロック図において、子機１ａ、１ｂ、・・・、２ａ、２ｂ、・・・、・・・を構成する感知部５１の第１のマイク６０に入力される音声の電圧（以下、第１の入力電圧という。）および本体５２の第２のマイク７０に入力される周囲音の電圧（以下、第２の入力電圧という。）と第１、第２の各レベル変換回路７３、７４からそれぞれ出力される直流レベルとは、図３の入力電圧−直流レベル特性図に示す関係を有している。
【００１６】
このように構成された本発明の実施例によるナースコール装置において、以下、具体的な動作について図面を参照して説明する。
【００１７】
本発明の実施例によるナースコール装置の第１の動作として、当該装置が待受状態において、ベッド毎の環境下、ここでは、１０１号室内でベッド番号が「１」のベッドの環境下でノイズ等の周囲音、例えば、ドアの閉成音が発生した場合、この周囲音は図２のブロック図に示す子機１ａを構成する感知部５１の第１のマイク６０および本体５２の第２のマイク７０にてほぼ同一レベルで入力される、ここでは、第１、第２の各入力電圧が８０ｄＢｓｐｌでそれぞれ入力される。また、子機１ａを構成する感知部５１の第１のマイク６０に入力された周囲音は、適宜、周囲音信号Ｓ１に信号処理された後、フレキシブルパイプ５３を介して本体５２に伝送される。また、子機１ａを構成する本体５２の第１のマイクアンプ７１は、感知部５１からの周囲音信号Ｓ１を増幅させた周囲音信号Ｓ１ａを第１のレベル変換回路７３に出力する。さらに、子機１ａを構成する本体５２の第２のマイク７０に入力された周囲音は、適宜、周囲音信号Ｓ２に信号処理された後、第２のマイクアンプ７２を介して増幅された周囲音信号Ｓ２ａとして第２のレベル変換回路７４に伝送される。
【００１８】
図２のブロック図において、子機１ａを構成する本体５２の第１、第２の各レベル変換回路７３、７４のうち、第１のレベル変換回路７３は、第１の入力電圧が８０ｄＢｓｐｌであった周囲音信号Ｓ１ａを直流レベルに変換、ここでは、図３の入力電圧−直流レベル特性図に示すように、直流レベルが３．０Ｖの変換信号Ｓ１ｂを直流レベル比較回路７５に出力する、一方、第２のレベル変換回路７４は、第２の入力電圧が８０ｄＢｓｐｌであった周囲音信号Ｓ２ａを直流レベルに変換、ここでは、図３の入力電圧−直流レベル特性図に示すように、直流レベルが４．８Ｖの変換信号Ｓ２ｂを直流レベル比較回路７５に出力する。
【００１９】
また、図２のブロック図において、子機１ａを構成する本体５２の直流レベル変換回路７５は、第１、第２の各レベル変換回路７３、７４からの変換信号Ｓ１ｂ、Ｓ２ｂの直流レベルを比較し、変換信号Ｓ１ｂの直流レベルが変換信号Ｓ２ｂの直流レベルよりも大きい場合にのみ図１の全体構成図に示すナースコール親機３０に対して呼び出しをかけるための呼出信号を出力する。ここでは、変換信号Ｓ１ｂの直流レベルが変換信号Ｓ２ｂの直流レベルよりも小さいため呼出信号は出力されず、ゆえに、呼出元の環境下で発生した周囲音による誤った呼び出しを防止できる。
【００２０】
次に、本発明の実施例によるナースコール装置の第２の動作として、当該装置が待受状態において、ベッド毎の患者、ここでは、１０１号室内でベッド番号が「１」のベッドの患者が、ナースステーション内に居る看護師を音声で呼び出すため、図２のブロック図に示す子機１ａを構成する感知部５１の第１のマイク６０の近傍、例えば、患者の口元と第１のマイク６０、本体５２の第２のマイク７０との距離がそれぞれ１０ｃｍ、３０ｃｍの位置にて８０ｄＢｓｐｌの呼出音声が発せられた場合、この呼出音声は子機１ａを構成する感知部５１の第１のマイク６０ではほぼ８０ｄＢｓｐｌの第１の入力電圧で入力される、一方、本体５２の第２のマイク７０では（１０ｄＢｓｐｌ低い）７０ｄＢｓｐｌの第２の入力電圧で入力される。また、子機１ａを構成する感知部５１の第１のマイク６０に入力された呼出音声は、適宜、音声信号Ｓ１１に信号処理された後、フレキシブルパイプ５３を介して本体５２に伝送される。また、子機１ａを構成する本体５２の第１のマイクアンプ７１は、感知部５１からの音声信号Ｓ１１を増幅させた音声信号Ｓ１１ａを第１のレベル変換回路７３に出力する。さらに、子機１ａを構成する本体５２の第２のマイク７０に入力された呼出音声は、適宜、音声信号Ｓ１２に信号処理された後、第２のマイクアンプ７２を介して増幅された音声信号Ｓ１２ａとして第２のレベル変換回路７４に伝送される。
【００２１】
図２のブロック図において、子機１ａを構成する本体５２の第１、第２の各レベル変換回路７３、７４のうち、第１のレベル変換回路７３は、第１の入力電圧が８０ｄＢｓｐｌであった音声信号Ｓ１１ａを直流レベルに変換、ここでは、図３の入力電圧−直流レベル特性図に示すように、直流レベルが３．０Ｖの変換信号Ｓ１１ｂを直流レベル比較回路７５に出力する、一方、第２のレベル変換回路７４は、第２の入力電圧が７０ｄＢｓｐｌであった音声信号Ｓ１２ａを直流レベルに変換、ここでは、図３の入力電圧−直流レベル特性図に示すように、直流レベルが２．３Ｖの変換信号Ｓ１２ｂを直流レベル比較回路７５に出力する。
【００２２】
図２のブロック図において、子機１ａを構成する本体５２の直流レベル変換回路７５は、第１、第２の各レベル変換回路７３、７４からの変換信号Ｓ１１ｂ、Ｓ１２ｂの直流レベルを比較し、変換信号Ｓ１１ｂの直流レベルが変換信号Ｓ１２ｂの直流レベルよりも大きい場合にのみ図１の全体構成図に示すナースコール親機３０に対して呼び出しをかけるための呼出信号を出力する。ここでは、変換信号Ｓ１１ｂの直流レベルが変換信号Ｓ１２ｂの直流レベルよりも大きいため呼出信号Ｓ２０が出力される。この呼出信号Ｓ２０は、子機Ｉ／Ｆ７６、子機接続ラインＬ１ａを介してプレート子機１１ａ、プレート子機接続ラインＬ１１ａを介して廊下灯２１に伝送される。
【００２３】
図１の全体構成図において、プレート子機１１ａからの呼出信号Ｓ２０が入力された廊下灯２１は、呼出信号Ｓ２０の伝送経路であるプレート子機接続ラインＬ１１ａに予め割り当てられているベッド番号「１」に該当するベッドの患者から呼び出しがある旨を１０１号室の出入口近傍に居る人物、例えば、巡回中の看護師に対して呼出報知させるため、表示灯（図示せず）を点滅／点灯して呼出表示を行うとともに、呼出信号Ｓ２０に病室番号「１０１」およびベッド番号「１」を付加させた呼出信号Ｓ２０ａを出力する。この呼出信号Ｓ２０ａは、廊下灯接続ラインＬ２０、制御機３１、親機接続ラインＬ２１を介してナースコール親機３０に伝送される。
【００２４】
図１の全体構成図において、廊下灯２１からの呼出信号Ｓ２０ａが入力されたナースコール親機３０は、呼出信号Ｓ２０ａに含まれている病室番号「１」およびベッド番号「１」に該当するベッドの患者から呼び出しがある旨をナースステーション内に居る看護師に対して呼出報知させるため、該当する表示灯（図示せず）を点滅／点灯して呼出表示を行うとともに、呼出音を鳴動して呼出発報を行う。また、上述の呼出報知（呼出表示／発報）を確認した看護師が、ナースコール親機３１にて適宜、呼出応答、例えば、ハンドセットを取り上げると、このハンドセットと、親機接続ラインＬ２１、制御機３１、廊下灯接続ラインＬ２０、廊下灯２１、プレート子機接続ラインＬ１１ａを介してプレート子機１１ａの通話機能（詳述せず）との間の通話路が形成され、形成された通話路を介して音声信号を送受信させることにより通話が成立する。
【００２５】
なお、本発明の実施例によるナースコール装置において、図１の全体構成図に示すプレート子機１１ａ、１１ｂ、・・・、１２ａ、１２ｂ、・・・、・・・には、通常、ベッド毎の患者が上述の看護師を手動で呼び出すための機能が備えられており、この呼出機能を能動として呼出操作を行うと、ナースステーション内に居る看護師を呼び出して通話を成立させることもできる。
【００２６】
【発明の効果】
以上の説明から明らかなように、本発明のナースコール装置によれば、病室内のベッド毎に設置される子機をフレキシブルパイプを介して離間されて接続される感知部と本体とで構成することにより、例えば、ベッド毎の患者により看護師を呼び出すための音声が発せられた場合、当該患者の口元との距離が本体の第２のマイクとの距離と比較して近いとされる感知部の第１のマイクの入力電圧（第１の入力電圧）は、本体の第２のマイクの入力電圧（第２の入力電圧）よりも高くなり、これら入力電圧から変換された直流レベルの差異に応じてナースコール親機に対して呼び出しをかけることができる、一方、呼出元の環境下で周囲音が発生した場合には、感知部の第１のマイクの入力電圧（第１の入力電圧）と本体の第２のマイクの入力電圧（第２の入力電圧）とはほぼ同じであり、これら入力電圧から変換された直流レベルの差異に応じてナースコール親機へは呼び出しがかけられないことにより、ゆえに、誤った呼び出しを防止できる。
【図面の簡単な説明】
【図１】本発明の実施例によるナースコール装置を示す全体構成図である。
【図２】本発明の実施例によるナースコール装置において、子機の具体的な構成を示すブロック図である。
【図３】本発明の実施例によるナースコール装置において、子機を構成する感知部の第１のマイクの入力電圧（第１の入力電圧）および本体の第２のマイクの入力電圧（第２の入力電圧）と、本体の直流レベル比較回路から出力される直流レベルとの関係を示す入力電圧−直流レベル特性図である。
【符号の説明】
１ａ、１ｂ、・・・、２ａ、２ｂ、・・・、・・・　・・・・・子機
３０・・・・・ナースコール親機
３１・・・・・ナースコール制御機
５１・・・・・感知部
５２・・・・・本体
５３・・・・・フレキシブルパイプ
６０・・・・・第１のマイク
７０・・・・・第２のマイク
７１・・・・・第１のマイクアンプ
７２・・・・・第２のマイクアンプ
７３・・・・・第１のレベル変換回路
７４・・・・・第２のレベル変換回路
７５・・・・・直流レベル比較回路
【図１】
2004112016.tif 000003
【図２】
2004112016.tif 000004
【図３】
2004112016.tif 000005